(57)【特許請求の範囲】
【請求項１】
所定の間隔を有して立設された一対のガイドレールに沿って移動するシャッターカーテンの巻き取りにより開口部を開放し、前記シャッターカーテンが巻き戻されることにより前記開口部が閉鎖されるシャッター装置であって、
前記シャッターカーテンの下端部に設けられ、該シャッターカーテンに対して上下方向に相対的に移動可能であるスライド板と、
前記シャッターカーテンの下端の前記ガイドレール側に設けられ、前記シャッターカーテンに対して相対的に移動不可能に設けられた固定板と、
前記固定板と前記スライド板との間に設けられ、前記シャッターカーテンに対して上下方向に移動可能である案内板と、
前記シャッターカーテンの閉鎖にともなう前記スライド板の接地により自動に該スライド板の前記相対的な移動を禁止するロック手段と、を備え、
前記ロック手段は、前記スライド板に配置された係合手段と、前記案内板に配置された連動手段と、前記固定板に配置された被係合手段と、を有し、
前記係合手段が前記シャッターカーテンの閉鎖における前記スライド板及び前記案内板の接地により自動に前記連動手段に作用するとともに、該連動手段が前記被係合手段に係合して、前記スライド板及び案内板の前記相対的な移動が禁止され、
前記係合手段が前記シャッターカーテンの開放の動作における前記スライド板の上昇により自動に前記連動手段から離脱するとともに、前記連動手段が前記被係合手段から離脱して前記スライド板及び案内板の前記相対的な移動が許容される、シャッター装置。
【請求項２】
前記連動手段は、前記シャッターカーテンに沿った水平方向に移動可能な棒状部材であるロッド棒と、該ロッド棒を水平方向に付勢する弾性部材と、を備え、
前記ロッド棒の棒の一端が前記係合手段に押圧されることにより、前記弾性部材に弾性力に抗して移動するとともに、他端が前記被係合手段に係合し、
前記ロッド棒への前記係合手段による押圧力が除荷されることにより、前記弾性部材の弾性力により前記ロッド棒は移動して前記被係合手段から離脱することを特徴とする請求項１に記載のシャッター装置。
【発明の詳細な説明】
【技術分野】
【０００１】
本発明は、商業用ビル、店舗等に備えられるシャッター装置に関し、詳しくは挟まれ防止の安全装置を備えつつ防犯性にも優れるシャッター装置に関する。
【背景技術】
【０００２】
商業用ビル等の各種建物、公共施設等に備えられる管理シャッター、又は防火シャッター等のシャッター装置では、シャッターカーテンの降下（巻き戻し）時において、該シャッターカーテンと床面との間に人や物が挟まれることが問題とされてきた。これに対して、例えば光学的、電気的なセンサにより障害物を感知してシャッターカーテンの降下を停止するいわゆる「障害物感知装置」が広く用いられている。
【０００３】
一方、光学的、電気的なセンサ等を使用せずに安全性を向上させ、例え挟まれても大きな怪我等には至らない安全装置が特許文献１〜３に開示されている。特許文献１〜３に記載の発明によれば、シャッターカーテンの下端にシャッターに対して上下方向に相対的にスライド可能に防火スライド板が設けられている。これにより、防火スライド板と床面との間に人が挟まれても防火スライド板が上方にスライドして退避し、人に大きな荷重がかからないようにすることができる。
【０００４】
【特許文献１】特許第２９４０６７１号公報
【特許文献２】特開２０００−８７３９号公報
【特許文献３】特開２０００−８７４０号公報
【発明の開示】
【発明が解決しようとする課題】
【０００５】
しかしながら、特許文献１〜３に記載の発明はシャッター装置の閉鎖時において防火スライド板を自由に上方に持ち上げることができるので、非常時のみに動作する防火シャッターでは問題にはならないが、これを管理シャッターに用いると防犯性に問題があった。
【０００６】
そこで本発明は上記課題に鑑み、挟まれ防止の安全装置を備えつつも防犯性にも優れるシャッター装置を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、所定の間隔を有して立設された一対のガイドレール（１１、１２）に沿って移動するシャッターカーテン（１４）の巻き取りにより開口部を開放し、シャッターカーテンが巻き戻されることにより開口部が閉鎖されるシャッター装置（１）であって、シャッターカーテンの下端部に設けられ、該シャッターカーテンに対して上下方向に相対的に移動可能であるスライド板（１８、２１）と、シャッターカーテン（１４）の下端のガイドレール（１１、１２）側に設けられ、シャッターカーテンに対して相対的に移動不可能に設けられた固定板（１６、１６）と、固定板とスライド板（１８、２１）との間に設けられ、シャッターカーテンに対して上下方向に移動可能である案内板（１７、１７）と、シャッターカーテンの閉鎖にともなうスライド板の接地により自動に該スライド板の相対的な移動を禁止するロック手段（３０）と、を備え、ロック手段（３０）は、スライド板に配置された係合手段（３１）と、案内板に配置された連動手段（４１）と、固定板に配置された被係合手段（４８）と、を有し、係合手段がシャッターカーテンの閉鎖におけるスライド板及び案内板の接地により自動に連動手段に作用するとともに、該連動手段が被係合手段に係合して、スライド板及び案内板の相対的な移動が禁止され、係合手段がシャッターカーテンの開放の動作における前記スライド板の上昇により自動に連動手段から離脱するとともに、連動手段が被係合手段から離脱してスライド板及び案内板の相対的な移動が許容されるシャッター装置を提供することより前記課題を解決する。
【０００９】
ここで、「シャッターカーテンの閉鎖におけるスライド板の接地」とは、シャッターカーテンが障害物等による影響を受けずに、通常に求められる開口部の閉鎖がおこなわれたときの接地を意味する。
【００１１】
請求項２に記載の発明は、請求項１に記載のシャッター装置（１）における連動手段（４１）は、シャッターカーテン（１４）に沿った水平方向に移動可能な棒状部材であるロッド棒（４３）と、該ロッド棒を水平方向に付勢する弾性部材（４５）と、を備え、ロッド棒の棒の一端が係合手段（３１）に押圧されることにより、弾性部材に弾性力に抗して移動するとともに、他端が被係合手段（４８）に係合し、ロッド棒への係合手段による押圧力が除荷されることにより、弾性部材の弾性力によりロッド棒は移動して被係合手段から離脱することを特徴とする。
【発明の効果】
【００１２】
本発明によれば、シャッターカーテンが降下する軌道上に障害物があり、スライド板の下端にこれが接触しても、スライド板の相対的な移動によりスライド板が上方に退避し、障害物にはシャッターカーテンの荷重は負荷されない。例えばこれが人等である場合には安全性を確保することができる。一方、シャッター装置が正常に閉鎖されたときには、スライド板はロック手段により上下動ができなくなるので、スライド板を手で持ち上げることが不可能となり防犯性を高めることが可能である。従って、このように安全が確保されたシャッター装置に防犯性が備えられるので防火シャッターとしてのみでなく、管理シャッターとして使用することも可能となる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。しかし本発明は当該実施形態に限定されるものではない。
【００１５】
図１は第一実施形態に係る本発明のシャッター装置１を模式的に表した図である。図１（ａ）はシャッター装置１の室外視正面図、図１（ｂ）は図１（ａ）に対する右側面図である。図１（ａ）、図１（ｂ）では説明のため、部材により隠蔽されている一部構成部材も表示している。また、図１はシャッター装置１が閉鎖され、通路又は空間が仕切られている姿勢である。図１に一点鎖線で示した線は天井の位置を示している。本実施形態のシャッター装置１は、いわゆる管理シャッターであり、電動開閉機５２の正転、及び逆転によりシャッターカーテン１４の巻き取り及び巻き戻しがされる。
【００１６】
シャッター装置１は、開閉部１０、及び該開閉部１０の上端に具備される巻き取り部５０を備えている。開閉部１０は、実際に通路等の開放、閉鎖が行われる部位である。一方、巻き取り部５０は、シャッター装置１の開放の姿勢において、後で説明するシャッターカーテン１４を巻き取り収納するとともに、シャッター装置１の開閉、その他制御のための駆動源である電動開閉機５２や、その他の制御装置を備える部位である。
【００１７】
開閉部１０は、ガイドレール１１、１２、まぐさ１３、及びシャッターカーテン１４を備えている。ガイドレール１１、１２は、所定の間隔を有して平行に立設された２本の長尺部材で、横断面が略コ字状である。ガイドレール１１、１２は当該コ字状である開口部を対向させるように設置される。まぐさ１３はガイドレール１１、１２の上部を渡すように取り付けられた長尺部材である。従って、当該ガイドレール１１、１２、及びまぐさ１３により門型が形成されている。
【００１８】
シャッターカーテン１４は、スラット１５、１５、…、固定板１６、１６、案内板１７、１７、スライド板１８、２１、及びロック手段３０、３０を備えている。図２は、図１のうちシャッター装置１の下端部に注目した図、図３は、図２にＡ−Ａで示した矢視断面図である。図３では、紙面下が室外側、紙面上が室内側である。また、図４は、図２にＢ−Ｂで示した矢視断面図である。図４も紙面下が室外側、紙面上が室内側である。図５は、図２にＣ−Ｃで示した矢視断面図である。図５では紙面右が室外側、紙面左が室内側である。さらに図６には、図２にＤで示した部位の拡大図を示した。図６では、その一部の部材について、他の部材により隠蔽される部分についても透視して表している。
図１〜図６及び適宜示す図を参照しつつシャッターカーテン１４について説明する。
【００１９】
スラット１５、１５、…は、シャッターカーテン１４の閉鎖の姿勢で、長手方向を水平に、幅方向を鉛直にして配置される長尺の略板状の部材である。そして上下方向に隣り合うスラット１５、１５、…の端部同士が、所定の回動が許容されるように連結されている。これにより巻き取りが可能となる。また、スラット１５、１５、…の左右両端部は２本のガイドレール１１、１２のコ字状の開口から内側に包含されるように配置される。このときスラット１５、１５、…はガイドレール１１、１２に固定はされないので、スラット１５、１５、…はガイドレール１１、１２の長手方向には移動が可能であり、これと直交する方向（図１（ａ）の紙面奥／手前方向）の移動は制限される。これによりスラット１５、１５、…を適切にガイドレール１１、１２に沿って上下に移動させることができる。
【００２０】
固定板１６、１６は、スラット１５、１５、…のうち、最下端のスラット１５ａ（図５参照）の下端の左右両端部（ガイドレール側端部）のそれぞれから下方に延在するように固定された一枚の板状の部材、及び曲げ物部材である。従って、左右の固定板１６、１６及び最下端のスラット１５ａにより門型が形成される。シャッター装置１の閉鎖の姿勢では、固定板１６、１６の下端が地面に接触し、最下端のスラット１５ａと地面との間には空間を生じる（ただし、当該空間には後述するように案内板１７、１７、及びスライド板１８、２１が配置される。）ので、当該門型の開口部内に障害物が入ることができる。これにより例えば人がスラット１５ａと地面との間に強い負荷を受けて挟まれることを防止できる。
【００２１】
ここで図３からわかるように、固定板１６の一端はガイドレール１１の内側に包含され、シャッターカーテン１４の上下動とともに当該一端はガイドレール１１内を移動する。固定板１６の上記一端に対向する他端はガイドレール１１から所定量だけ突出している。そして、該突出した部分の室外側は、図３に表した断面において中空の矩形片１６ａを有し、該矩形片１６ａのガイドレール１１とは反対側には開口部１６ｂを備えている。矩形片１６ａは図３に表した断面を有して固定板１６、１６の上下方向（図３の紙面奥／手前方向）に延在する。また、反対のガイドレール１２側に備えられた固定板１６についても同様である。
【００２２】
固定板１６、１６の大きさは特に限定されるものではないが、上記挟まれ防止の観点から門型の開口はできるだけ広い方が良いので、固定板１６、１６のガイドレール１１、１２から突出する大きさは可能な限り小さい方が好ましい。また、門型の開口の高さ、すなわち固定板１６、１６の高さ（図２の紙面上下方向大きさ）は人が挟まれることを防止する観点から、人が横になった姿勢で最下端のスラット１５ａが人に当たらない程度を確保することが好ましい。
【００２３】
案内板１７、１７は、１枚の板を折り返して２重構造としたような部材である（図３参照）。案内板１７、１７は図３に示した断面を有して紙面奥／手前方向に延在する。案内板１７のガイドレール１１側は折り返しの端部が配置され、該端部の近傍には室内外方向（図３の紙面上下方向）のくびれ１７ａが設けられている。そしてこれに対向する側の端部は該２重構造の内外を連通する開口１７ｂが形成されている。
【００２４】
また、図３からわかるように、案内板１７の上記折り返し端部は固定板１６の矩形片１６ａの内側に内包されるように配置される。このとき、くびれ１７ａの部分が、矩形片１６の開口１６ｂを貫通することにより、案内板１７が固定板１６の外に延在するように形成されている。従って、案内板１７はその移動に際し、固定板１６の矩形片１６ａにより所定の拘束を受けるが、固定板１６に対して上下方向（図３の紙面奥／手前方向）に相対的にはスライドすることができる。ここではガイドレール１１側について説明したが、ガイドレール１２側についても同様である。
【００２５】
案内板１７、１７の大きさは特に限定されるものではないが、高さ方向については固定板１６、１６と概ね同じである。また図３の紙面左右方向の大きさは、後述のスライド板１８、２１を大きく取る方がよいことから、できるだけ小さい方が好ましい。
【００２６】
スライド板１８、２１は、上記した固定板１６、１６及び最下端のスラット１５ａにより形成される門型の開口部の大部分を閉鎖可能に配置される板状の部材である。本実施形態では、２枚のスライド板１８、２１が左右に並べられて配置されている。スライド板１８のガイドレール１１側端部は図３からわかるように案内板１７の開口部１７ｂから該案内板１７の内側に包含されるように配置される。ガイドレール１２側のスライド板２１についても同様である。これにより、スライド板１８、２１の移動は案内板１７、１７により所定の拘束を受けるが、案内板１７、１７に対して上下方向（図３の紙面奥／手前方向）に相対的にはスライドすることができる。また、本実施形態ではスライド板１８のガイドレール１１側端部と、案内板１７のくびれ１７ａとの間にはある程度の距離を設けているので、スライド板１８は後で図１１に示すような若干の回動も可能とされている。
【００２７】
スライド板１８とスライド板２１とが重なる側の端部は図４に示したように構成されている。すなわち一方のスライド板２１の端部の室内側面にはスペーサー２１ｃを介してスライド板２１と平行に設けられた板２１ｄが備えられている。当該板２１ｄによりスライド板２１の端部にコ字状が形成される。そして他方のスライド板１８の端部が当該コ字状である内側に配置される。これによりスライド板１８、２１の移動は互いに所定の拘束を受けるが、いずれのスライド板１８、２１も上下方向（図４の紙面奥／手前方向）に相対的にはスライドすることができる。
【００２８】
スライド板１８、２１は、シャッター装置１の閉鎖の姿勢で上下方向を長手方向とし、厚さ方向に貫通する２つのスリット１８ａ、１８ａ、２１ａ、２１ａを備えている。該スリット１８ａ、１８ａ、２１ａ、２１ａは、スライド板１８、２１の両端付近に設けられ、上部から下部へ向けて太くなるように形成されている。これにより、後述するスライド板１８、２１の上下動を円滑にさせることができる。
【００２９】
スライド板１８、２１のシャッターカーテン１４への取り付けは、特に図５からよくわかるように、最下端のスラット１５ａ及びスペーサー１５ｂに固定された固定部材２２、２２により行われる。より詳しくは、固定部材２２、２２がスリット２１ａ、２１ａの内側を貫通するとともにその端部がスリット２１ａ、２１ａから抜けないように軸に不図示のワッシャーをつけ、スリット２１ａ、２１ａより大きく形成している。従って、スライド板２１は、直接にはスラット１５ａに固定されていないので、固定部材２２、２２がスリット２１ａ、２１ａ内を移動することができる範囲で移動することができる。ここでスリット２１ａ、２１ａは上下方向を長手方向としているので、スライド板２１も上下方向に移動することが可能である。
【００３０】
これにより、シャッター装置１の閉鎖途中においてスライド板２１の下端に障害物が接触しても、スライド板２１はシャッターカーテン１４に対して持ち上げられるように移動し、障害物に大きな荷重がかかるのを防止することができる。具体的にどのようにスライド板２１が移動するかについては後で詳しく説明する。
【００３１】
ここでは図５が図２におけるＣ−Ｃ矢視断面図であったことからスライド板２１を例に説明したがスライド板１８についても同様である。また、スライド板１８、２１の下端には座板１８ｅ、２１ｅが設けられていてもよい。
【００３２】
ロック手段３０、３０は、シャッターカーテン１４が通常に閉鎖を完了したときに、スライド板１８、２１のスライドを禁止するとともに、シャッターカーテン１４が開放されたときには再びスライド板１８、２１がスライド可能となるようにする手段である。図１、図２、及び図６にはロック手段３０、３０が配置される位置を示し、図７にはその構成を説明するための図を示した。これらの図を参照しつつロック手段３０、３０について説明する。
【００３３】
ロック手段３０は、係合手段３１、連動手段４１、及び被係合手段４８を備えている。ここではスライド板１８側のロック手段３０について説明するが、スライド板２１側のロック手段も同様である。
係合手段３１はスライド板１８の室内側面で連動手段４１側の下端に取り付けられている。連動手段４１は案内板１７の室内側面で所定の位置に、被係合手段４８は、固定板１６の室内側面の所定の位置に取り付けられている。ここで所定の位置とは、後述するように、係合手段３１、連動手段４１、及び被係合手段４８が適切に係合離脱することができる位置を意味する。
【００３４】
係合手段３１は、図７からわかるように、筐体３２、垂直ラック３３、水平ラック３４、ピニオン３５、弾性部材３６、及びラック受け３７、３８、３９、４０を有している。すなわち、係合手段３１は、筐体３２の内側にラックアンドピニオン機構を備えている。具体的には、垂直及び水平のラック（垂直ラック３３、水平ラック３４）が１つのピニオン３５を介して連動している。従って、垂直ラック３３の上下動に連動して水平ラック３４が左右に移動することができる。また、垂直ラック３３及び水平ラック３４はその両端が筐体３２の外に突出可能に形成されている。特に、後述するように、垂直ラック３３の下端における筐体３２から突出した部分が地面に押圧されることにより係合手段３１が動作し、水平ラック３４の連動手段４１側の端部が筐体３２から突出してロックがされる。
【００３５】
係合手段３１に備えられる弾性部材３６は、垂直ラック３３に設けられた弾性部材受け３３ａと筐体３２の天井との間に配置され、垂直ラック３３を付勢することができる。具体的には、図８に示したように垂直ラック３３が上方に移動したときに垂直ラック３３を下方に付勢するように弾性部材３６が設けられている。
【００３６】
ラック受け３７、３８、３９、４０は、垂直ラック３３及び水平ラック３４のそれぞれを移動可能に保持する部材である。
【００３７】
連動手段４１は、基体４２、ロッド棒４３、及び弾性部材４５を備えている。基体４２は、シャッター装置１の通常の閉鎖の姿勢（図１に示した姿勢）において、係合手段３１の水平ラック３４の移動軸と略同軸である貫通穴４２ａを有する部材である。また、貫通穴４２ａの両端部は該貫通穴４２ａより狭い孔４２ｂ、４２ｃが形成されている。孔４２ｂは水平ラック３４は貫通するが、ロッド棒４３の太く形成された部位４３ａは貫通しないような大きさ及び形状とされ、孔４２ｃはロッド棒４３の細く形成された部位４３ｂは貫通するが、弾性部材４５は貫通しないような大きさ及び形状とされている。
【００３８】
ロッド棒４３は、貫通孔４２ａ内を移動可能に設けられた棒状部材でその長手方向に太さの異なる２つの棒（第一ロッド４３ａ及び第二ロッド４３ｂ）が連結されている。詳しくは、第一ロッド４３ａは貫通孔４２ａ内を水平ラック３４と同じ方向を主要な移動方向として移動する。第二ロッド４３ｂは、第一ロッド４３ａの被係合手段４８側の端面から該第一ロッド４３ａの移動方向に略同軸に設けられている。第二ロッド４３ｂは第一ロッド４３ａに対して細く形成されるとともに、該第一ロッド４３ａとは反対側の端部は基体４２から突没可能とされている。
【００３９】
弾性部材４５は第一ロッド４３ａと孔４２ｃとの間に配置され、第二ロッド４３ｂに巻きつくように備えられた弾性部材である。上述のように弾性部材４５は孔４２ｃを貫通することはできず貫通孔４２ａ内に留まるので、ロッド棒４３の孔４２ｃ方向への移動によりこれに抗するように圧縮付勢される。
【００４０】
被係合手段４８は、図３からわかるようにＬ字状の断面を有する部材で、Ｌ字状である２つの片（面）のうち一方を固定板１６の室内側に取り付けるように設置されている。従ってＬ字状である他方の片（面）は固定板１６の室内側面から室内側に延在するような配置となる。当該他方の面には図７からわかるようにその厚さ方向に貫通する孔４８ａが設けられている。該孔４８ａは第二ロッド４３ｂが貫通可能な大きさ及び形状を有している。
【００４１】
かかる構成を有するロック手段３０は次のように動作する。すなわち、図７に示したように、垂直ラック３３の下端が地面（ＦＬ）等により上方に押圧されているときには、垂直ラック３３は、弾性部材３６により下方に付勢されつつも図７の姿勢を維持する。このとき、水平ラック３４の一端は連結手段４１の貫通孔４２ａへ挿入され、第一ロッド４３ａを押圧するとともに、第二ロッド４３ｂが突出し、被係合手段４８の孔４８ａに挿入された姿勢となるように予め設定しておく。
【００４２】
かかる図７の姿勢から、例えばシャッターカーテン１４が上方に上がる等して垂直ラック３３が下方からの押圧力から開放されたとき、図８に示したように垂直ラック３３は弾性部材３６の作用により下方に移動する。するとこれによりピニオン３５が回動し、これに連動する水平ラック３４が連動手段４１から離れる方向に移動する。これにより水平ラック３４は連動手段４１の貫通孔４２ａから離脱する。するとロッド棒４３も弾性部材４５の作用により移動し、第二ロッド４３ｂが被係合手段４８の孔４８ａから離脱する。これらロック手段３０の動作とシャッター装置１の開閉動作との関係については後で説明する。
【００４３】
図１に戻り、シャッター装置１の他の部位である巻き取り部５０について説明する。巻き取り部５０は、ケース５１、電動開閉機５２、巻き取りシャフト５３、駆動チェーン５４、不図示の制御装置、及び押しボタンボックス５６を備えている。
【００４４】
ケース５１は、電動開閉機５２、巻き取りシャフト５３、及び制御装置の大部分をその内側に隠蔽する箱状の部材である。これにより各構成部材を塵埃等から保護し、装置寿命伸ばしたり、装置の動作の信頼性を向上させたりすることができる。
【００４５】
電動開閉機５２は、電気により駆動して巻き取りシャフトを回転させる機器である。これには例えば電動モーターを挙げることができる。当該電動開閉機５２は通常のシャッター装置に用いられる電動開閉機で足りる。また、電動開閉機の５２の回動軸には、該回転軸に同軸で回転する駆動スプロケット５２ａが取り付けられている。電動開閉機の設置位置、及び回動軸の向きは特に限定されるものではないが、シャッター装置の構造等の観点から図１に示したように、設置位置はシャッター装置１の左右いずれか側に寄せられるとともに、回動軸は水平であることが好ましい。
従って、電動開閉機５２の正転によりシャッターカーテン１４の巻き取り、及び逆転によりシャッターカーテン１４の巻き戻しが行われる。
【００４６】
巻き取りシャフト５３は、シャッターカーテン１４の左右幅方向（図１（ａ）の紙面左右方向）に沿って水平に設けられた円筒状の部材で、該円筒の中心軸を軸として回動可能に設置されている。さらに、上記した電動開閉機５２の駆動スプロケット５２ａが配置されたと同じ側の巻き取りシャフト５３の端部には、該巻き取りシャフト５３と同軸であるシャフトスプロケット５３ａが設けられている。当該シャフトスプロケット５３ａは、駆動スプロケット５２ａよりも大きな径を有している。これにより適切な速度でシャッターカーテン１４を上下動させることができる。
また、巻き取りシャフト５３の外周の所定部分にシャッターカーテン１４の上端が固定されている。
【００４７】
駆動チェーン５４は、上記駆動スプロケット５２ａとシャフトスプロケット５３ａとを掛け渡すように取り付けられる環状部材であり、電動開閉機５２で生じた回転力を巻き取りシャフト５３に伝達するように形成されている。これには例えば駆動スプロケット５２ａ、及びシャフトスプロケット５３ａの外周に凹凸が形成され、駆動チェーン５４はこれに係合離脱しつつ回転し、動力を伝達するチェーンである場合を挙げることができる。
【００４８】
制御装置は、シャッターカーテン１４の巻き取り（上昇）、巻き戻し（降下）、停止等に関する各機器からの信号を総括し、シャッターカーテン１４を実際にどのように動作させるかを判断するとともに、その判断結果を機器に指令する装置である。制御装置の構成は特に限定されるものではないが、例えば信号を受信して取り込むＩＮＰＵＴ部、どのように動作すべきかが決められたプログラムを格納しておくＲＯＭ、演算を実行するＣＰＵ、各種信号や演算結果を一時的に記憶して演算領域として機能するＲＡＭ、及び結果を外部に出力するＯＵＴＰＵＴ部等を備えている。これにより、シャッター装置１が現時点においてどのような動作をすべきかを適切に判断することができ、利便性と安全性、及び動作の信頼性が図られる。
また、制御装置は通常は商用電源により動作するが、停電時にも最低限の動作が可能であるように充電式バッテリが備えられていてもよい。これにより震災時に商用電源が供給されない場合であっても、少なくともシャッターカーテンの閉鎖をさせることができ、防炎、防煙の機能を提供することができる。
【００４９】
押しボタンボックス５６は、使用者が自分の意思によりシャッターカーテン１４を巻き取り（上昇）、停止、巻き戻し（降下）させるための操作をする部位である。具体的には、例えばシャッターカーテン巻き取りのための押しボタン、停止のための押しボタン、巻き戻しのための押しボタンを備えている。これにより使用者はシャッター装置１に対して指令を与えることができ、特にこれを遮断する理由がない場合にはシャッター装置１は指令通りの動作をする。
【００５０】
以上のような構成の巻き取り部５０は開閉部１０の上端に設けられ、シャッター装置１が構成されている。上記のシャッター装置１は、電動開閉機５２の正転及び逆転によりシャッターカーテン１４の巻き取り及び巻き戻しをすることができるシャッター装置であるが、これに限定されることはなく、巻き戻しがシャッターカーテンの自重によりされるシャッター装置であってもよい。また、例えば定常時と非定常時でシャッターカーテンの巻き戻しを電動開閉機による場合と、自重による場合とで使い分けることができるシャッター装置であってもよい。
ここで、シャッターカーテンが自重により巻き戻しされることが可能であるシャッター装置の電動開閉機にはブレーキが備えられ、自重によりシャッターカーテンが巻き戻されているときには、当該ブレーキを動作させることによりシャッターカーテンが停止される。
【００５１】
次に、シャッター装置１の閉鎖の際に生じるいくつか場面の例を挙げ、スライド板１８、２１やロック手段３０、３０の動作について説明する。
【００５２】
図９は、シャッター装置１の開放の姿勢からシャッターカーテン１４のが下方に移動し、シャッター装置１が閉鎖される途中の場面を示す図である。このとき、ロック手段３０の係合手段３１では、垂直ラック３３が上方に押圧されていない。従って、ロック手段３０は、図７に示した姿勢にある。従って、スライド板１８、２１及び案内板１７、１７はシャッターカーテン１４に対して相対的に上下方向に移動すること可能となっている。
【００５３】
図１０は、図９の姿勢からシャッター装置１の閉鎖が進み、閉鎖が通常に完了した場面である。このように、シャッター装置１の閉鎖が通常に完了する場合には、固定板１６、１６、案内板１７、１７、及びスライド板１８、２１が地面（ＦＬ)に接触する。このときロック手段３０の係合手段３１では、垂直ラック３３が地面により上方に押圧されているので、ロック手段３０は、図７に示した姿勢にある。従って、スライド板１８、２１は、案内板１７、１７に、該案内板１７、１７は固定板１６、１６に係合し、スライド板１８、２１及び案内板１７、１７は上方に移動することができない。これにより、外部からの侵入をすることができないので管理シャッターとしても本発明のシャッター装置１を用いることが可能となる。
【００５４】
図１１は、図９の姿勢からシャッター装置１の閉鎖が進んだもののシャッターカーテン１４の軌道上の地面（ＦＬ）に障害物Ｅ１が存在した一例を示した場面である。このように障害物Ｅ１がある場合、スライド板１８がスライド自在である状態（ロック手段３０が図８に示した姿勢）で該スライド板１８の下端が障害物Ｅ１に接触する。従ってシャッターカーテン１４が降下してもスライド板１８は障害物Ｅ１により図１１に示したようにその一端側がスライドする。これにより障害物Ｅ１はスライド板１８の一部の重量が荷重としてかかるのみであり、シャッターカーテン１４全体の重量が負荷されず障害物Ｅ１へのダメージを大幅に減ずることができる。
【００５５】
図１２は、図９の姿勢からシャッター装置１の閉鎖が進んだもののシャッターカーテン１４の軌道上の地面（ＦＬ）に障害物Ｅ２が存在した一例を示した場面である。このように障害物Ｅ２がある場合、スライド板１８がスライド自在である状態（ロック手段３０が図８に示した姿勢）で該スライド板１８の下端が障害物Ｅ２に接触する。従ってシャッターカーテン１４が降下してもスライド板１８は障害物Ｅ２により図１２に示したようにその全体がスライドする。これにより障害物Ｅ２はスライド板１８の重量が荷重としてかかるのみであり、シャッターカーテン１４全体の重量が負荷されず障害物Ｅ２へのダメージを大幅に減ずることができる。
【００５６】
図１３は、図９の姿勢からシャッター装置１の閉鎖が進んだもののシャッターカーテン１４の軌道上の地面（ＦＬ）に障害物Ｅ３が存在した一例を示した場面である。このように障害物Ｅ３がある場合、スライド板１８、２１がスライド自在である状態（ロック手段３０が図８に示した姿勢）で該スライド板１８、２１の下端が障害物Ｅ３に接触する。従ってシャッターカーテン１４が降下してもスライド板１８、２１は障害物Ｅ３により図１３に示したようにその端部がスライドする。これにより障害物Ｅ３はスライド板１８、２１の重量が荷重としてかかるのみであり、シャッターカーテン１４全体の重量が負荷されることなく障害物Ｅ３へのダメージを大幅に減ずることができる。
【００５７】
図１４は第二実施形態にかかるシャッター装置１０１を説明するための図で図２に相当する図である。シャッター装置１０１は、シャッターカーテン１１４の下端に３枚のスライド板１１８、１２１、１２５を備えている点でシャッター装置１と異なる。スライド板１１８及び１２１についてはいずれもガイドレール１１１、１１２側に上述したロック手段３０、３０を備えている。しかし、真ん中に配置されるスライド板１２５についてはロック手段３０とは別にロック手段を必要とするので、ロック手段１３０、１３０が別途設けられている。以下ロック手段１３０について説明する。他の構成については上述したシャッター装置１と共通するので、説明は省略する。
【００５８】
図１５は、ロック手段１３０を説明するための図で、ロック手段３０の説明における図７に相当する図である。ロック手段１３０は、係合手段１３１と被係合手段１４１とを備えている。図１４からわかるように、係合手段１３１はスライド板１２５の室内側面の両端下部のそれぞれに取り付けられている。一方、被係合手段１４１は、スライド板１１８、及び１２１の室内側面の所定の位置に取り付けられている。ここで所定の位置とは、後述するように被係合手段１４１が係合手段１３１と適切に係合離脱することができる位置を意味する。
【００５９】
係合手段１３１は、図１５からわかるように、筐体１３２、垂直ラック１３３、水平ラック１３４、ピニオン１３５、弾性部材１３６、及びラック受け１３７、１３８、１３９、１４０を有している。すなわち、係合手段１３１は、筐体１３２の内側にラックアンドピニオン機構を備えている。具体的には、垂直及び水平のラック（垂直ラック１３３、水平ラック１３４）が１つのピニオン１３５を介して連動している。従って、垂直ラック１３３の上下動に連動して水平ラック１３４が左右に移動することができる。また、垂直ラック１３３及び水平ラック１３４はその両端が筐体１３２の外に突出可能に形成されている。特に、後述するように、垂直ラック１３３の下端は筐体１３２から突出した部分が地面に押圧されることにより係合手段１３１が動作し、水平ラック１３４の被係合手段１４１側の端部が筐体１３２から突出してロックがされる。
【００６０】
係合手段１３１に備えられる弾性部材１３６は、垂直ラック１３３に設けられた弾性部材受け１３３ａと筐体１３２の天井との間に配置され、垂直ラック１３３を付勢することができる。具体的には、図１５に示したように垂直ラック１３３が上方に移動したときに垂直ラック１３３を下方に付勢するように弾性部材１３６が設けられている。
【００６１】
ラック受け１３７、１３８、１３９、１４０は、垂直ラック１３３及び水平ラック１３４のそれぞれを移動可能に保持する部材である。
【００６２】
被係合手段１４１は、中空の部材で、中空部１４２は上記した水平ラック１３４がその内側に挿入可能な大きさ及び形状とされている。また、被係合手段１４１の水平方向（図１５における左右方向）位置は、シャッターカーテン１１４が閉鎖された姿勢において水平ラック１３４が中空部１４２内に配置され、シャッターカーテン１１４が開放された姿勢において水平ラック１３４が中空部から離脱するような位置である。
【００６３】
かかる構成を有するロック手段１３０は次のように動作する。すなわち、図１５に示したように垂直ラック１３３の下端が地面（ＦＬ）等により上方に押圧されているときには、垂直ラック１３３は、弾性部材１３６により下方に付勢されつつも図１５の姿勢を維持する。このとき、水平ラック３４の一端は被係合手段１４１の中空部１４２に挿入された姿勢となるように予め設定しておく。
【００６４】
かかる図１５の姿勢から、例えばシャッターカーテン１１４が上方に上がる等して垂直ラック１３３が下方からの押圧力から開放されたとき、図１６に示したように垂直ラック１３３は弾性部材１３６により下方に移動する。するとこれによりピニオン１３５が回動し、これに連動する水平ラック１３４が被係合手段１４１から離れる方向に移動する。これにより水平ラック１３４は被係合手段１４１の中空部１４２から離脱する。
【００６５】
このように水平ラック１３４の被係合手段１４１への係合離脱によりスライド板１２５のシャッターカーテン１１４に対する相対的なスライドが許容及び禁止される。すなわち、シャッター装置１において説明したと同様に、シャッターカーテン１１４が通常に閉鎖した場合には水平ラック１３４は被係合手段１４１に係合し、スライド板１２５のスライドが禁止される。一方、シャッター装置が開放、又は障害物等による非定常である閉鎖の姿勢にある場合には水平ラック１３４は被係合手段１４１から離脱し、スライド板１２５のスライドは許容される。
【００６６】
図１７はロック手段１３０の変形例であるロック手段２３０を説明するための図で、図１５に相当する図である。ロック手段２３０は、係合手段１３１と被係合手段２３１とを備えている。ロック手段２３０についてもロック手段１３０と同様、係合手段１３１はスライド板１２５の室内側面の両下端のそれぞれに取り付けられている。一方、被係合手段２３１は、スライド板１１８、１２１のそれぞれの所定の位置に取り付けられている。当該所定の位置とは、後述するように被係合手段２３１が係合手段１３１と適切に係合離脱することができる位置である。
【００６７】
係合手段１３１は、付した符号からもわかるように、上記したロック手段１３０の係合手段１３１と同じ構成なので、ここでは説明を省略する。
【００６８】
被係合手段２３１は、図１７からわかるように、筐体２３２、垂直ラック２３３、水平ラック２３４、ピニオン２３５、弾性部材２３６、及びラック受け２３７、２３８、２３９、２４０、被係合部２４１を有している。すなわち、被係合手段２３１は、筐体２３２の内側にラックアンドピニオン機構を備えている。具体的には、垂直及び水平のラック（垂直ラック２３３、水平ラック２３４）が１つのピニオン２３５を介して連動している。従って、垂直ラック２３３の上下動に連動して水平ラック２３４が左右に移動することができる。また、垂直ラック２３３及び水平ラック２３４はその両端が筐体２３２の外に突出可能に形成されている。特に、後述するように、垂直ラック２３３の下端は筐体２３２から突出した部分が地面に押圧されることにより、水平ラック２３４の被係合部２４１が筐体２３２から突出して係合手段１３１と係合し、ロックがされる。
【００６９】
被係合手段２３１に備えられる弾性部材２３６は、垂直ラック２３３に設けられた弾性部材受け２３３ａと筐体２３２の天井との間に配置され、垂直ラック２３３を付勢することができる。具体的には、図１７に示したように垂直ラック２３３が上方に移動したときに垂直ラック２３３を下方に付勢するように弾性部材２３６が設けられている。
【００７０】
ラック受け２３７、２３８、２３９、２４０は、垂直ラック２３３及び水平ラック２３４のそれぞれを移動可能に保持する部材である。
【００７１】
被係合部２４１は、水平ラック２３４の係合手段１３１側端部に設けられる部材で、係合手段１３１側に開口した凹部２４２を有する部材である。凹部２４２は上記した係合手段１３１の水平ラック１３４の先端がその内側に挿入可能な大きさ及び形状とされている。また、その水平方向（図１７における左右方向）位置は、シャッターカーテン１１４が閉鎖された姿勢において水平ラック１３４が凹部２４２内に配置され、シャッターカーテン１１４が開放された姿勢において水平ラック１３４が凹部２４２から離脱するような位置とされる。
【００７２】
かかる構成を有するロック手段２３０は次のように動作する。すなわち、図１７に示したように、係合手段１３１の垂直ラック１３３、及び被係合手段２３１の垂直ラック２３３の下端が地面（ＦＬ）等により上方に押圧されているときには、垂直ラック１３３、２３３は、弾性部材１３６、２３６により下方に付勢されつつも図１７の姿勢を維持する。このとき、係合手段１３１の水平ラック１３４の一端は被係合手段２３１の被係合部２４１における凹部２４２内に挿入された姿勢となるように予め設定しておく。
【００７３】
かかる図１７の姿勢から、例えばシャッターカーテン１１４が上方に上がる等して垂直ラック１３３、２３３が下方からの押圧力から開放されたとき、図１８に示したように垂直ラック１３３、２３３は弾性部材１３６、２３６により下方に移動する。するとこれによりピニオン１３５、２３５が回動し、これに連動する水平ラック１３４、２３４がそれぞれ離れる方向に移動する。これにより水平ラック１３４の端部は被係合部２４１の凹部２４２から離脱してロックが解除される。
【００７４】
このようなロック手段２３０を備えるシャッター装置でも上記した効果を奏するものとなる。
【００７５】
以上説明した実施形態ではスライド板が２枚又は３枚配置された場合を説明した。ただし、スライド板の枚数はシャッター装置の横幅等により適宜変更可能である。従って、１枚であってもよいし、４枚以上であってもよい。
【００７６】
以上、現時点において、もっとも実践的であり、かつ好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴うシャッター装置もまた本発明の技術的範囲に包含されるものとして理解されなければならない。
【図面の簡単な説明】
【００７７】
【図１】第一実施形態に係るシャッター装置の正面図及び側面図である。
【図２】シャッター装置の下部に注目した図である。
【図３】図２に示したＡ−Ａ矢視断面図である。
【図４】図２に示したＢ−Ｂ矢視断面図である。
【図５】図２に示したＣ−Ｃ矢視断面図である。
【図６】図２にＤで示した部分を模式的に示した図である。
【図７】係合手段を説明するための図である。
【図８】係合手段の離脱状態を説明するための図である。
【図９】シャッター装置が閉鎖する途中の一場面を説明する図である。
【図１０】シャッター装置が通常に閉鎖した例を説明する図である。
【図１１】障害物によりスライド板がスライドした一例を説明するための図である。
【図１２】障害物によりスライド板がスライドした他の一例を説明するための図である。
【図１３】障害物によりスライド板がスライドしたさらなる他の例を説明するための図である。
【図１４】第二実施形態にかかるシャッター装置の下部に注目した図である。
【図１５】第二実施形態にかかるシャッター装置に備えられる他の形態のロック手段を説明するための図である。
【図１６】図１５に示したロック手段の離脱の姿勢を示す図である。
【図１７】図１５に示したロック手段の変形例を説明するための図である。
【図１８】図１７に示したロック手段の離脱の姿勢を示す図である。
【符号の説明】
【００７８】
１、１０１  シャッター装置
１０  開閉部
１１、１１１  ガイドレール
１２、１１２  ガイドレール
１３  まぐさ
１４、１１４  シャッターカーテン
１５  スラット
１６  固定板
１７  案内板
１８、２１、１１８、１２１、１２５  スライド板
３０、１３０、２３０  ロック手段
３１、１３１  係合手段
３２、１３２  筐体
３３、１３３  垂直ラック
３４、１３４  水平ラック
３５、１３５  ピニオン
３７、３８、３９、４０、１３７、１３８、１３９、１４０  ラック受け
４１  連動手段
４２  基体
４３  ロッド棒
４５  弾性部材
４８、１４１、２３１  被係合手段
５０  巻き取り部
５１  ケース
５２  電動開閉機
５３  巻き取りシャフト
５４  駆動チェーン
５６  押しボタンボックス
【図１】
0005179837.tif 000002
【図２】
0005179837.tif 000003
【図３】
0005179837.tif 000004
【図４】
0005179837.tif 000005
【図５】
0005179837.tif 000006
【図６】
0005179837.tif 000007
【図７】
0005179837.tif 000008
【図８】
0005179837.tif 000009
【図９】
0005179837.tif 000010
【図１０】
0005179837.tif 000011
【図１１】
0005179837.tif 000012
【図１２】
0005179837.tif 000013
【図１３】
0005179837.tif 000014
【図１４】
0005179837.tif 000015
【図１５】
0005179837.tif 000016
【図１６】
0005179837.tif 000017
【図１７】
0005179837.tif 000018
【図１８】
0005179837.tif 000019